(57)【要約】      （修正有）【課題】メダルを良好な状態かつデザイン性に優れた外観で収容可能なメダル収容バインダーを提供する。【解決手段】折りたたみ式のバインダーであって、メダルを収容し、開状態でメダルを視認できる透明の板状シートを備えたメダル収容部と、資料を収容可能な資料収容部を有する。第１のメダル収容部６１及び第２のメダル収容部６３には、マラソン大会等で取得したメダル等が収容される。資料収容部４１には、マラソン大会等で取得した記録証等の紙媒体が収容される。メダル収容バインダーは、全ての折り目５１、５３、５５、５７で折って完全に折りたたんだ状態において、自立できる形状をしている。【選択図】図３
0003206806.tif 000002
【実用新案登録請求の範囲】
【請求項１】
折りたたみ式のバインダーであって、
メダルを収容し、開状態でメダルを視認できる透明の板状シートを備えたメダル収容部と、
前記メダル収容部内に位置し、前記メダルを保持する緩衝部と
を有するメダル収容バインダー。
【請求項２】
資料を収容可能な資料収容部
をさらに有する請求項１に記載のメダル収容バインダー。
【請求項３】
前記緩衝部は、前記板状シートに向けて突き出た弾性のある凸部を有する
請求項１に記載のメダル収容バインダー。
【請求項４】
前記緩衝部は、前記メダルを前記板状シートに向けて押し付ける透明ゲル材を有する
請求項１に記載のメダル収容バインダー。
【請求項５】
前記資料収容部は、
シート状のファイル本体が該ファイル本体の略中央位置に設けられた折り曲げ辺部にて二つ折りにして第１シート部と第２シート部に形成されるとともに、これら各シート部に書類等を出し入れ自在に保持する収納部が形成され、前記折り曲げ辺部においてファイル係支部が前記ファイル本体の外部に突出するように設けられたファイルの前記ファイル係支部と係合するリング部
を有する請求項２に記載のメダル収容バインダー。
【考案の詳細な説明】
【技術分野】
【０００１】
本考案は、メダル収容バインダーに関する。
【背景技術】
【０００２】
健康ブーム到来の影響もあり、マラソン人口は増えている。大都市マラソンも次々と新しい大会が開催されている。
このような大会の参加者は、メダルを取得した出場大会に思い入れがあり、アルバムのように記念に残るよう何らかの形で保存することが多い。
【考案の開示】
【考案が解決しようとする課題】
【０００３】
しかしながら、従来のメダル収納はメダル１個を専用ケースで収納するものしかなかった。
また、マラソンメダルの収納は現状、競合商品となり得るものがメダルハンガーと呼ばれる製ハンガーへ引っ掛けるだけのものしか存在しない。むき出し保管の構造のため、埃が被ってしまうという問題が残る。また、これらは、３つ位までなら大会のメダルを飾れても、それ以上の数になるとデザイン性に優れた形態で収納できないという問題がある。
【０００４】
本考案は、上述した従来技術の課題に鑑みてなされたものであり、メダルを良好な状態かつデザイン性に優れた外観で収容可能なメダル収容バインダーを提供することを目的とする。
【課題を解決するための手段】
【０００５】
上述した従来技術の問題点を解決し、上述した目的を達成するために、本考案のメダル収容バインダーは、折りたたみ式のバインダーであって、メダルを収容し、開状態でメダルを視認できる透明の板状シートを備えたメダル収容部と、前記メダル収容部内に位置し、前記メダルを保持する緩衝部とを有する。
【０００６】
好適には、本考案は、資料を収容可能な資料収容部をさらに有する。
【０００７】
好適には、本考案の前記緩衝部は、前記板状シートに向けて突き出た弾性のある凸部を有する。
【０００８】
好適には、本考案の前記緩衝部は、前記メダルを前記板状シートに向けて押し付ける透明ゲル材を有する。
【０００９】
好適には、本考案の前記資料収容部は、シート状のファイル本体が該ファイル本体の略中央位置に設けられた折り曲げ辺部にて二つ折りにして第１シート部と第２シート部に形成されるとともに、これら各シート部に書類等を出し入れ自在に保持する収納部が形成され、前記折り曲げ辺部においてファイル係支部が前記ファイル本体の外部に突出するように設けられたファイルの前記ファイル係支部と係合するリング部を有する。
【考案の効果】
【００１０】
本考案によれば、メダルを良好な状態かつデザイン性に優れた外観で収容可能なメダル収容バインダーを提供することができる。
【図面の簡単な説明】
【００１１】
【図１】図１は、本考案の実施形態に係るメダル収容バインダーを完全に折りたたんだ状態の外観斜視図である。
【図２】図２は、図１に示すメダル収容バインダーの資料収容部の部分を開いた状態の外観斜視図である。
【図３】図３は、図１に示すメダル収容バインダーを全ての折り目で開いた状態の外観斜視図である。
【図４】図４は、第１のメダル収容部及び第２のメダル収容部内のメダル７５が収容される位置の断面構造を示す図である。
【図５】図５は、第１のメダル収容部及び第２のメダル収容部内のメダル７５が収容される位置のその他の断面構造を示す図である。
【図６】図６は、図２に示すクリアファイルの見開き状態を示す概略正面図である。
【図７】図７は、図６に示すクリアファイルの閉じた状態を示す概略正面図である。
【図８】図８は、図７のＡ部分の要部拡大断面図である。
【考案を実施するための最良の形態】
【００１２】
以下、本考案の実施形態に係るメダル収容バインダーを、図面を参照しながら説明する。
図１は、本考案の実施形態に係るメダル収容バインダー１を完全に折りたたんだ状態の外観斜視図である。図２は、図１に示すメダル収容バインダー１の資料収容部１１の部分を開いた状態の外観斜視図である。図３は、図１に示すメダル収容バインダー１を全ての折り目で開いた状態の外観斜視図である。
【００１３】
本実施形態のメダル収容バインダー１は、メダルや記録証など、自分の出場記録の足跡をきれいな形で残すことができる。
図１に示すように、メダル収容バインダー１は、全ての折り目で折って完全に折りたたんだ状態において、自立できる形状をしている。
そのため、棚などに保管できる。
【００１４】
図２に示すように、メダル収容バインダー１は、第１の折り目５１と第２の折り目５３とで折り目を開いた状態で、第１のシート３１に設けられた資料収容部４１が現れる。
資料収容部４１には、マラソン大会等で取得した記録証等の紙媒体が収容される。
【００１５】
また、図３に示すように、メダル収容バインダー１は、第３の折り目５５と第４の折り目５７とで折り目を開いた状態で、第２のシート３３及び第３のシート３５にそれぞれ設けられた第１のメダル収容部６１及び第２のメダル収容部６３が現れる。
第１のメダル収容部６１及び第２のメダル収容部６３には、マラソン大会等で取得したメダル等が収容される。図３に示す例では、第１のメダル収容部６１及び第２のメダル収容部６３には、それぞれ４つのメダル７５が収容可能である。
【００１６】
図４は、第１のメダル収容部６１及び第２のメダル収容部６３内のメダル７５が収容される位置の断面構造を示す図である。
図４に示すように、第１のメダル収容部６１及び第２のメダル収容部６３内は、メダル７５を収容する位置に外側からメダル７５を視認可能なガラス板８１が設けられている。また、第１のメダル収容部６１及び第２のメダル収容部６３内には、収容されたメダル７５をガラス板８１に向けて押圧して保持するシート状の緩衝部８３が設けられている。緩衝部８３は、弾性部材で構成される。
【００１７】
図４に示すように、緩衝部８３によってメダル７５をガラス板８１に向けて押圧することで、メダル７５が第１のメダル収容部６１及び第２のメダル収容部６３内の所定の位置に安定して保持される。なお、ガラス板８１のメダル７５と当接する面はメダル７５に傷が付かない弾力性が面となっている。
【００１８】
図４に示す例では、緩衝部８３は、メダル７５と当接する位置に凸部８３ａが設けられており、凸部８３ａによってメダル７５をガラス板８１に押し付けている。
【００１９】
図５は、第１のメダル収容部６１及び第２のメダル収容部６３内のメダル７５が収容される位置のその他の断面構造を示す図である。
図５に示すように、緩衝部８３の代わりに、メダル７５をガラス板８１に向けて押し付けて保持するために透明ゲル材を用いてもよい。
【００２０】
以下、上述したように、マラソン大会等で取得した記録証等の紙媒体が収容される資料収容部４１について詳細に説明する。
図２に示すように、資料収容部４１は、クリアファイル１０１を引っ掛けるリング１１０、１１１が設けられている。
【００２１】
図６及び図７に示すように、本実施形態に係るクリアファイル１０１は矩形状のファイル本体２を有している。ファイル本体２は可撓性を有する透明又は半透明な素材シートを打ち抜くか又は切断することにより形成されている。
前記ファイル本体２は略中央位置に設けられた折り曲げ辺部２Ａにて二つ折りにされ第１シート部３と第２シート部４として形成されている。
【００２２】
第１シート部３には書類等を出し入れ自在に収納保持する第１収納部５が形成されている。本実施形態では前記第1収納部５にＡ４サイズの書類を収納保持する例として説明する。第1収納部５はファイル本体２を構成する素材シートからなる保持シート６を第１シート部３の下側縁３Ａにて折り曲げるとともに外側縁３Ｂを熱溶着又は超音波溶着等の溶着手段で接合することにより形成されている。第１収納部５は第１シート部３の上側３Ｃは開放されるとともに内側３Ｄも開放され、この開放部分より書類を出し入れすることができるようになっている。なお、保持シート６の上側の隅部には切欠き部７が設けられており、書類を第１収納部５に差し込むときに保持シート６をめくり易くなる構成となっている。
【００２３】
また、第２シート部４にも書類等を出し入れ自在に保持する第２収納部８が形成されている。この収納部８もＡ４サイズの書類を収納保持できるようになっている。第２収納部８も前記第１収納部５と同様にファイル本体２を構成する素材シートからなる保持シート９を第２シート部４の下側縁４Ａにて折り曲げるとともに外側縁４Ｂを熱溶着又は超音波溶着等の溶着手段で接合することにより形成されている。収納部８は第２シート部４の上側４Ｃは開放されるとともに内側４Ｄも開放され、この開放部分より書類を出し入れすることができるようになっている。なお、保持シート９の上側の隅部には切欠き部１０が設けられており、書類を収納部８に差し込むときに保持シート９をめくり易くなる構成となっている。
【００２４】
上述のように各収納部５、８は前記折り曲げ辺部２Ａを中心として左右対称に形成されている。したがって、各収納部５、８の開放部分は前記各シート部５、８の上側と前記各シート部５、８の内側に存在することになり、Ａ４サイズの倍の大きさのＡ３サイズの書類を各収納部５、８に亘って収納保持することができるようになっている。
【００２５】
折り曲げ辺部２Ａにはクリアファイル１を図示しないバインダーに綴じるために使用するファイル係支部２０、２０がファイル本体２から外部に突出するように設けられている。なお、ファイル係支部２０、２０は前記折り曲げ辺部２Ａの長手方向の二か所に設けられている。本実施形態はファイル係支部２０、２０を折り曲げ辺部２Ａの二か所に設けたものであるが、本考案はファイル係支部２０の数には限定されない。
【００２６】
ファイル係支部２０は、図８にも示すように金属製の線材の一部を湾曲加工することによりリング状に形成されている。ファイル係支部２０の両端部には前記ファイル係支部２０を構成する線材の一部からなる取付け部２０Ａ、２０Ａが前記ファイル本体２Ａの外側面に沿って張り出し形成されている。これら各取付け部２０Ａ、２０Ａの先端部２０Ｂ、２０Ｂは前記ファイル本体２Ａの外部から内部に差し込まれている。そして、各取付け部２０Ａ、２０Ａの先端部２０Ｂ、２０Ｂはファイル本体２の内部にて互いに向き合うように折り曲げられ、固定されている。
【００２７】
上述のように、バインダーの綴じ具が挿入されるファイル係支部２０を前記折り曲げ辺部２Ａにおいてファイル本体２の外部に突出するように設けたので、従来のようにバインダーの綴じ具をファイル本体に設けた綴じ孔に差し込むときに、その綴じ孔が塞がれることはないので、書類の収納部への出し入れ作業を簡単に行うことができる。
また、前記ファイル係支部２０は金属製の線材の曲げ加工により簡単に形成でき、線材の先端部２０Ｂ、２０Ｂを前記ファイル本体２に差し込み、内部にてその先端を折り曲げるだけでファイル係支部２０をリング１１０、１１１に簡単に取り付けることができる。
【００２８】
メダル収容バインダー１ｈが、メダルは様々な大きさのものがある。特大なものは別として大のメダルをきれいに並べ、埃が被らないようガラス板８１越しに見えるようにする。
さらに、マラソン大会で年に２個位はメダルをもらうランナーが多いので、８個程度のメダルが格納できることが好ましい。メダル収容バインダー１を１つ購入すれば、一般的には、約４年はメダルを収容できる。
【００２９】
バインダーに機能を付ける部分は、ジュエリー収納の技術を応用してメダルが傷まないよう配慮しつつ、ユーザーに満足を与えるものを提供する。
【００３０】
メダル収容バインダー１によれば、メダルを良好な状態かつデザイン性に優れた外観で収容可能である。
そのため、メダル取得者が、他の仲間に取得したメダルやその大会の履歴情報を見せながら、コミュニケーションをし易くなり、そのようなコミュニティを活性化できる。
【００３１】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００３２】
上述した実施形態では、３つ折りにした場合を例示したが、折り数は任意であり、折り目が無くてもよい。
また、資料収容部４１は備えていなくてもよい。
【産業上の利用可能性】
【００３３】
本考案は、例えば、メダル収容バインダーに適用可能である。
【符号の説明】
【００３４】
１…メダル収容バインダー
３１…第１のシート
４１…資料収容部
５１…第１の折り目
５３…第２の折り目
５５…第３の折り目
５７…第４の折り目
６１…第１のメダル収容部
６３…第２のメダル収容部
７５…メダル
８１…ガラス板
１０１…クリアファイル
２・・・・・・・・・・・・・・・ファイル本体
２Ａ・・・・・・・・・・・・・折り曲げ辺部
３・・・・・・・・・・・・・・・第１シート部
４・・・・・・・・・・・・・・・第２シート部
５・・・・・・・・・・・・・・・第１収納部
８・・・・・・・・・・・・・・・第２収納部
２０・・・・・・・・・・・・・ファイル係支部
２０Ａ、２０Ａ・・・取付け部
２０Ｂ、２０Ｂ・・・先端部
【図１】
0003206806.tif 000003
【図２】
0003206806.tif 000004
【図３】
0003206806.tif 000005
【図４】
0003206806.tif 000006
【図５】
0003206806.tif 000007
【図６】
0003206806.tif 000008
【図７】
0003206806.tif 000009
【図８】
0003206806.tif 000010